(57)【要約】【課題】ユーザにとって親和性の高いデジタルテレビによりネットワークカメラの制御を行うことを可能とし、ユーザに対するネットワークカメラの使い易さを向上させる。【解決手段】ネットワークカメラ１０２と、デジタルテレビ１０１とをネットワークを介して接続したネットワークカメラシステムにおいて、デジタルテレビ１０１からネットワークカメラ１０２を制御できるようにした。これにより、ネットワークカメラの使い易さの向上を図ることができる。【選択図】図１
2009038744.tif 000002
【特許請求の範囲】
【請求項１】
放送波に重畳される番組表情報を取得する番組表情報取得手段と、
ネットワーク接続された外部機器を制御する制御手段と、
前記外部機器を制御するためのスケジュール情報を管理するスケジュール管理手段と、
前記番組表情報取得手段により取得した番組表情報に、前記スケジュール管理手段により管理するスケジュール情報を合成した合成番組表を表示する表示制御手段とを備えたことを特徴とする表示装置。
【請求項２】
前記表示制御手段は、合成番組表においてスケジュール情報の時系列と番組表情報の時系列とを揃えて表示することを特徴とする請求項１に記載の表示装置。
【請求項３】
前記表示制御手段は、ネットワーク接続された外部機器が複数ある場合に、該外部機器それぞれのスケジュール情報を番組表情報に合成することを特徴とする請求項１又は２に記載の表示装置。
【請求項４】
前記外部機器は、複数の動作モードを有する撮像装置であって、
前記表示制御手段は、合成番組表のスケジュール情報に前記撮像装置の動作モードについての情報も表示することを特徴とする請求項１〜３のいずれか１項に記載の表示装置。
【請求項５】
前記外部機器がネットワークカメラ、セキュリティカメラ又はＷＥＢカメラであることを特徴とする請求項４に記載の表示装置。
【請求項６】
操作手段により、合成番組表の番組表情報の表示欄から番組を選択したり、合成番組表のスケジュール情報の表示欄から外部機器を選択したりすることができることを特徴とする請求項１〜５のいずれか１項に記載の表示装置。
【請求項７】
前記表示制御手段は、前記操作手段により外部機器が選択された場合、その外部機器から受信した映像を合成番組表に表示することを特徴とする請求項６に記載の表示装置。
【請求項８】
前記表示制御手段は、前記操作手段のうち所定の操作部についての説明を合成番組表に表示することを特徴とする請求項６又は７に記載の表示装置。
【請求項９】
前記所定の操作部は、合成番組表の番組表情報の表示欄から番組を選択している場合と、合成番組表のスケジュール情報の表示欄から外部機器を選択している場合とで、その機能が異なり、
前記表示制御手段は、前記所定の操作部の機能が変更すると、その説明も変更して合成番組表に表示することを特徴とする請求項８に記載の表示装置。
【請求項１０】
合成番組表から、前記外部機器を制御するスケジュールを予約するスケジュール予約画面に遷移できるようにしたことを特徴とする請求項１〜９のいずれか１項に記載の表示装置。
【請求項１１】
放送波を受信する放送受信手段を備えたテレビ受像機であることを特徴とする請求項１〜１０のいずれか１項に記載の表示装置。
【請求項１２】
ネットワークカメラと、デジタルテレビとをネットワークを介して接続したネットワークカメラシステムであって、
前記デジタルテレビが、番組表情報に関連づけられた制御情報に基づき前記ネットワークカメラを制御する制御手段を有することを特徴とするネットワークカメラシステム。
【請求項１３】
表示装置を制御するためのプログラムであって、
放送波に重畳される番組表情報を取得する番組表情報取得手段と、
ネットワーク接続された外部機器を制御する制御手段と、
前記外部機器を制御するためのスケジュール情報を管理するスケジュール管理手段と、
前記番組表情報取得手段により取得した番組表情報に、前記スケジュール管理手段により管理するスケジュール情報を合成した合成番組表を表示する表示制御手段として、前記表示装置に含まれるコンピュータを機能させるためのプログラム。
【請求項１４】
放送波に重畳される番組表情報を取得する番組表情報取得ステップと、
ネットワーク接続された外部機器を制御する制御ステップと、
前記外部機器を制御するためのスケジュール情報を管理するスケジュール管理ステップと、
前記番組表情報取ステップにより取得した番組表情報に、前記スケジュール管理ステップにより管理するスケジュール情報を合成した合成番組表を表示する表示制御ステップとを有することを特徴とする表示装置の制御方法。
【発明の詳細な説明】
【技術分野】
【０００１】
本発明は、外部機器がネットワーク接続されるデジタルテレビ等の表示装置、ネットワークカメラシステム及びプログラムに関する。
【背景技術】
【０００２】
近年、地上波放送、衛星放送、ケーブル放送等による放送波に含まれるデジタル映像音声データを受信して表示するデジタルテレビが普及してきている。また、映像音声データの他に放送波に含まれる番組表情報を用いた電子番組表機能も急激な勢いでユーザに浸透してきている。電子番組表機能を使用することにより、短時間で簡単に所望の放送番組の視聴や録画の予約をすることが可能であり、今や電子番組表機能により提供される電子番組表画面はユーザにとって親和性の高いユーザインタフェースとなっている。
【０００３】
一方近年、ネットワークカメラが普及してきている。ネットワークカメラには、例えば玄関や門扉等に設置し防犯目的で使用するものや、幼児や老人の部屋に設置し状態監視を行う目的で使用するもの等がある。また、ネットワークカメラの制御装置として用いられるパーソナルコンピュータ（ＰＣ）側において、時間を指定して撮影やモード遷移等の所定の制御を予約しておくスケジュール機能を有するものも提案されている。
【０００４】
また、例えば特許文献１には、ネットワークカメラが撮影した映像をデジタルテレビにて表示するシステムも提案されている。
【０００５】
【特許文献１】特開２００５−０１２８３１号公報
【発明の開示】
【発明が解決しようとする課題】
【０００６】
近年のネットワークカメラシステムにおいては、主としてＰＣを制御装置として用いている。しかしながら、ＰＣが多数のユーザにとって親和性が高いとはいえず、ＰＣによるネットワークカメラの制御ではその操作方法が複雑になりがちで、一部のユーザによってのみ使用可能なシステムとして扱われてしまっている。
【０００７】
本発明は係る実情に鑑みてなされたものであり、ユーザにとって親和性の高いデジタルテレビ等の表示装置によりネットワークカメラを制御できるようにし、ネットワークカメラの使い易さを向上させることを目的とする。
【課題を解決するための手段】
【０００８】
本発明の表示装置は、放送波に重畳される番組表情報を取得する番組表情報取得手段と、ネットワーク接続された外部機器を制御する制御手段と、前記外部機器を制御するためのスケジュール情報を管理するスケジュール管理手段と、前記番組表情報取得手段により取得した番組表情報に、前記スケジュール管理手段により管理するスケジュール情報を合成した合成番組表を表示する表示制御手段とを備えたことを特徴とする。
また、本発明のネットワークカメラシステムは、ネットワークカメラと、デジタルテレビとをネットワークを介して接続したネットワークカメラシステムであって、前記デジタルテレビが、番組表情報に関連づけられた制御情報に基づき前記ネットワークカメラを制御する制御手段を有することを特徴とする。
また、本発明のプログラムは、表示装置を制御するためのプログラムであって、放送波に重畳される番組表情報を取得する番組表情報取得手段と、ネットワーク接続された外部機器を制御する制御手段と、前記外部機器を制御するためのスケジュール情報を管理するスケジュール管理手段と、前記番組表情報取得手段により取得した番組表情報に、前記スケジュール管理手段により管理するスケジュール情報を合成した合成番組表を表示する表示制御手段として、前記表示装置に含まれるコンピュータを機能させるためのプログラム。
また、本発明の表示装置の制御方法は、放送波に重畳される番組表情報を取得する番組表情報取得ステップと、ネットワーク接続された外部機器を制御する制御ステップと、前記外部機器を制御するためのスケジュール情報を管理するスケジュール管理ステップと、前記番組表情報取ステップにより取得した番組表情報に、前記スケジュール管理ステップにより管理するスケジュール情報を合成した合成番組表を表示する表示制御ステップとを有することを特徴とする。
【発明の効果】
【０００９】
本発明によれば、ユーザにとって親和性の高いデジタルテレビ等の表示装置の電子番組表を利用してネットワークカメラ等の外部機器を制御することができ、ネットワークカメラの使い易さを向上させることができる。
【発明を実施するための最良の形態】
【００１０】
以下、本発明の好適な実施の形態を図面に基き説明する。
（第１の実施の形態）
図１は、本発明の第１の実施の形態に係るネットワークカメラシステムの構成を示す図である。
【００１１】
図１において、１０１は家屋内のリビングに設置されたテレビ受像機であるデジタルテレビであり、本発明でいう表示装置に相当する。１０２は駐車場に設置されたネットワークカメラであり、本発明でいう外部機器に相当する。１０３はハブ（もしくはルータ）である。１０４はＥｔｈｅｒｎｅｔ（登録商標）ケーブルである。デジタルテレビ１０１とネットワークカメラ１０２とはＥｔｈｅｒｎｅｔケーブル１０４及びハブ（もしくはルータ）１０３を介して接続する。
【００１２】
デジタルテレビ１０１に接続されたネットワークカメラ１０２は、デジタルテレビ１０１に搭載された制御アプリケーションによって制御される。また、ネットワークカメラ１０２で撮像した映像データがデジタルテレビ１０１に送信され、デジタルテレビ１０１では受信した映像データを表示あるいは記録する。
【００１３】
図２は、デジタルテレビ１０１の内部構成を示す図である。図２において、２０１は放送受信部である。２０２は再生部である。２０３は音声出力部である。２０４は表示部である。２０５は映像出力部である。２０６は通信部である。２０７は接続機器制御部である。２０８は合成番組表制御部である。２０９は操作部である。２１０はスケジュール情報データ格納部である。２１１は番組表情報データ格納部である。以下、これら各部の詳細について説明する。
【００１４】
放送受信部２０１は、不図示のＴＶアンテナからデジタルテレビ放送波（以下、放送波）を受信し、再生部２０２に供給する。放送受信部２０１が受信する放送波には、番組の放送予定に関する情報（番組表情報）が重畳されており、合成番組表制御部２０８に供給され、番組表情報データ格納部２１１に格納される。放送受信部２０１が受信する放送波は、地上波、衛星放送波、有線放送波等があるが、どの放送波を用いても問題ない。なお、放送受信部２０１は、本発明でいう放送受信手段及び番組表情報取得手段に対応するものである。
【００１５】
再生部２０２は、放送受信部２０１から供給された音声情報を音声信号に変換し、スピーカ等の音声出力部２０３から出力する。また、再生部２０２は、放送受信部２０１もしくは通信部２０６から供給される映像情報から再生映像を生成し、表示部２０４に供給する。表示部２０４は、再生映像をモニタ等の映像出力部２０５に送信し、映像出力部２０５は再生映像を表示する。
【００１６】
接続機器制御部２０７は、通信部２０６を介してネットワーク接続されたネットワークカメラ１０２を検出し、撮像を開始させたり、映像送信を開始させたりする等の制御を行う。また、接続機器制御部２０７は、スケジュール情報データ格納部２１０に格納されているスケジュール情報（時刻指定、制御指定の情報を含む）に従ってネットワークカメラ１０２を制御する。なお、接続機器制御部２０７は、本発明でいう制御手段に対応し、スケジュール情報データ格納部２１０と相まって本発明でいうスケジュール管理手段に対応するものである。
【００１７】
スケジュール情報データ格納部２１０に格納されているスケジュール情報の時刻指定情報には、制御を開始する時刻及び終了する時刻が含まれる。この時刻指定情報は、一回の指定に限られるものではなく、毎日、毎週といったような繰り返しを指定するものとして扱うこともできる。
【００１８】
また、スケジュール情報の制御指定情報には、撮像開始制御や、撮像データをデジタルテレビ１０１に送信する記録開始制御を指定する情報が含まれる。さらに、撮像映像に変化があった際に記録を開始する動き検知モードで撮影したり、暗所撮影用の赤外フィルタを無効化したナイトモードで撮影したりする制御を指定する情報が含まれる。
【００１９】
操作部２０９は、ユーザからの機器操作、もしくは不図示のリモコン操作に応じた操作情報（操作指示）を受け付け、合成番組表制御部２０８に通知する。
【００２０】
操作部２０９から番組表の表示の要求が通知された場合、合成番組表制御部２０８は、番組表情報データ格納部２１１の番組表情報に、スケジュール情報データ格納部２１０のスケジュール情報を合成した合成番組表データを生成し、表示部２０４に提供する。換言すれば、番組表情報に制御情報を関連付けた情報を表示部２０４に提供する。また、合成番組表制御部２０８は、必要に応じて再生部２０２から音声信号及び再生映像を受け取り、あるいはネットワークカメラ１０２からの映像を受け取り、合成番組表データに含めることができる。
【００２１】
表示部２０４は、合成番組表制御部２０８から受け取った合成番組表データを映像出力部２０５に出力し、映像出力部２０５に合成番組表を表示する。なお、合成番組表制御部２０８及び表示部２０４が相まって、本発明でいう表示制御手段に対応する。
【００２２】
ここで、図３に、放送波に重畳されている番組表情報から生成される番組表の一例を示す。該番組表は、不図示のリモコンの、上下左右の選択ボタンと、青、赤、緑、黄の４色ボタンで操作することができる。
【００２３】
図３において、３００は番組表である。３０１は時間軸欄であり、長枠状の領域を所定間隔で区分し、それぞれの区分毎に時刻を表示する。３０２、３０３、３０４はそれぞれ放送局チャンネル名表示欄であり、放送波を提供する複数の放送局の名称を表示する。３０５は番組表示欄であり、時間軸欄３０１及び放送局チャンネル名表示欄３０２〜３０４に対応する番組を表示するために複数の領域毎に区分される。そして区分された領域毎に番組名等を表示することにより、番組内容をユーザが容易に確認できるように構成されている。
【００２４】
３０６はフォーカスであり、上述した番組表示欄３０５上の区分された領域それぞれに移動することが可能であり、番組表示欄３０５上の現在位置を例えば太枠で囲うことによりユーザが選択した位置を明示するように表示される。フォーカス３０６は、リモコンの上下左右の選択ボタンの操作により移動することができる。
【００２５】
３０７は小画面であり、現在フォーカス３０６により選択されている番組の放送映像を表示することができる。
【００２６】
３０８は青、赤、緑、黄の４色ボタンの操作についての説明欄である。番組表示欄３０５のいずれかの番組がフォーカス３０６により選択された状態でリモコンの青ボタンを押下すると、表示部２０４は、小画面３０７で表示している現在フォーカス３０６により選択されている放送局チャンネルの放送映像を全画面表示する。これにより、ユーザは選択された放送局チャンネルからの放送映像と音声を視聴することができる。
【００２７】
番組表示欄３０５のいずれかの番組がフォーカス３０６により選択された状態でリモコンの赤ボタンを押下すると、番組の視聴予約を行うことができる。図３の例では、２３時から２４時までの「テレビＺＺチャンネル」の番組「トリノオリンピック」を視聴予約することになり、２３時になったらチャンネルが自動的に切り替わる。
【００２８】
また、リモコンの緑ボタンや黄ボタンを押下すると、別の日の番組表を表示することができる。
【００２９】
また、番組表示欄３０５の右端部のいずれかの番組がフォーカス３０６により選択された状態でリモコンの右ボタンを押下すると、表示中の項目が１項目もしくは表示中の項目全てが左へシフトし、次なる放送局チャンネルを表示することができる。これにより、１画面内に表示し切れていない分の放送局チャンネルの表示を可能とする。同様に、番組表示欄３０５の最下部のいずれかの番組がフォーカス３０６により選択された状態でリモコンの下ボタンを押下すると、次なる時間帯の番組を表示することができる。
【００３０】
上述した合成番組表制御部２０８は、図３に示した番組表を利用して、スケジュール情報を合成した合成番組表（図５を参照）を生成するものである。
【００３１】
次に、図４のフローチャートを参照して、本実施の形態に係るデジタルテレビ１０１の番組表の生成処理について説明する。
【００３２】
ユーザの操作で番組表の表示が指示された場合に、ステップＳ４０１の番組表生成処理が開始する。番組表生成処理が開始すると、まずステップＳ４０２において、デジタルテレビ１０１は、放送受信部２０１により受信した放送波に重畳されていた番組表情報を取得する（本発明でいう番組表情報取得手段としての処理例）。なお、番組表情報は放送波から直接取得してもよいし、番組表情報データ格納部２１１にいったん蓄積したものを取得してもよい。
【００３３】
ステップＳ４０３において、デジタルテレビ１０１は、通信部２０６に外部機器であるネットワークカメラ１０２が接続されているかどうかを確認する。外部機器が接続されていない場合は（ステップＳ４０４）、ステップＳ４０９へ遷移する。この場合、ステップＳ４０９において、ステップＳ４０２で取得済みの番組表情報から番組表データを生成し、図３に示すような番組表を表示することになる。
【００３４】
一方、外部機器が接続されていた場合は（ステップＳ４０４）、ステップＳ４０５へ遷移する。ステップＳ４０５において、デジタルテレビ１０１は、外部機器（ネットワークカメラ１０２）に対応するスケジュール情報が接続機器制御部２０７により管理されているかどうかを確認する。スケジュール情報がない場合は、ステップＳ４０８へ遷移する。一方、スケジュール情報がある場合は、ステップＳ４０７へ遷移する。
【００３５】
ステップＳ４０７において、デジタルテレビ１０１は、ステップＳ４０２で取得済みの番組表情報に、外部機器に対応するスケジュール情報を追加し、ステップＳ４０８へ遷移する。
【００３６】
ステップＳ４０８において、デジタルテレビ１０１は、次なる未検出の外部機器の有無を確認する。未確認の外部機器がある場合は、ステップＳ４０５へ遷移する。一方、未確認の外部機器がない場合、即ち全ての外部機器に対応するスケジュール情報を番組表情報に追加した場合は、ステップＳ４０９へ遷移する。この場合、ステップＳ４０９において、ステップＳ４０２で取得済みの番組表情報に、スケジュール情報を合成した合成番組表データを生成し、図５に示すような合成番組表を表示することになる。
【００３７】
次に、図５〜７を参照して、合成番組表について詳細に説明する。なお、本図において図３と同等の部分は同じ番号を使用し、説明を割愛する。
【００３８】
図５において、５００は上記手順により生成された合成番組表である。５０１は外部機器の種別表示欄であり、放送局チャンネル名表示欄３０２、３０３、３０４と並べて表示される。５０２はネットワークカメラ１０２のスケジュール情報表示欄であり、番組表示欄３０５の番組と時間（時系列）を揃えてスケジュール情報が表示される、即ち時間軸欄３０１に表示される時刻に対応するスケジュール情報が表示される。
【００３９】
図５の例では、１９時から録画予約がされており、２１時からはナイトモード及び動き検知モードでの録画予約がされていることを表示している。ここで、本実施の形態におけるネットワークカメラ１０２のスケジュール機能について説明する。
【００４０】
接続機器制御部２０７は、ネットワークカメラ１０２のスケジュール情報の全てをスケジュール情報データ格納部２１０に格納する。スケジュール情報データ格納部２１０に格納されるスケジュール情報は、ネットワークカメラ１０２を制御するための情報である。このスケジュール情報には、例えば、指定した時間ごとに撮影した静止画像及び音声を蓄積するための情報や、タイマー設定をするための情報等がある。また、被写体が動くことで映像の一部に変化があった場合に、映像蓄積や自動追尾、録音、音声再生を行う動き検知を設定する情報や、暗闇に対応した撮影を行うナイトモード等の動作モードを設定する情報等がある。さらに、外部デバイスの入力に応じたカメラ動作を行う外部デバイス入力設定をするための情報や、外部デバイスへの出力時間や繰り返し実行間隔の設定を行う外部デバイス出力設定をするための情報等がある。これらのスケジュール情報データ格納部２１０のスケジュール情報に基づいて、接続機器制御部２０７はネットワークカメラ１０２を制御する。
【００４１】
次に、図６を参照して、合成番組表をデジタルテレビ１０１の制御やネットワークカメラ１０２の制御のためのユーザインタフェースとして用いる例を説明する。なお、本図において、図３、図５と同等の部分は同じ番号を使用し、説明を割愛する。
【００４２】
図６において、６０１はフォーカスであり、図３で説明したフォーカス３０６と同様のもので、リモコンの上下左右の選択ボタンの操作により移動することができる。図６に示すように、フォーカス６０１が「駐車場カメラ」のスケジュール情報表示欄５０２のある時間帯に位置している場合、小画面３０７には、駐車場カメラであるネットワークカメラ１０２が現在撮影している映像が表示される。
【００４３】
また、フォーカス６０１を番組表示欄３０５からスケジュール情報表示欄５０２へと移動すると、４色ボタンの操作についての説明欄３０８の説明が変更される。４色ボタンは合成番組表の番組表情報から番組を選択している場合と、合成番組情報から時間帯を選択している場合とで、その機能が異なり、それに合わせて説明欄３０８の説明も変更されるものである。
【００４４】
具体的に、説明欄３０８において、スケジュール情報表示欄５０２のいずれかの時間帯がフォーカス６０１により選択された状態でリモコンの青ボタンを押下すると、後述するスケジュール予約画面へ遷移する旨が表示される。同様に赤ボタンを押下すると、カメラ名やＩＰアドレスを表示するカメラ詳細画面へ遷移する旨が表示される。また、同様に緑ボタンを押下すると、ズーム、パン、チルト制御を行うカメラ制御画面へ遷移する旨が表示される。また、同様に黄ボタンを押下すると、スケジュール確認画面へ遷移する旨が表示される。
【００４５】
次に、図７を参照して、図６の合成番組表で青ボタンを押下した場合のスケジュール予約画面の例について説明する。７０１はスケジュールの開始時刻と終了時刻を設定するためのアイコン群である。アイコン７０１に含まれる開始時刻を設定するためのアイコン７０１−１には、図６の合成番組表でフォーカス６０１により選択された時間帯が反映される。７０２はスケジュール機能を選択するためのアイコン群である。リモコン操作によってラジオボタンにマークをいれると、不図示の詳細設定画面にジャンプする詳細設定ボタンが有効になり、詳細設定画面にて各機能の詳細設定を行うことができる。７０３は操作説明であり、青ボタンに図６の合成番組表画面に戻る機能が割り当てられている。なお、図７はスケジュール予約画面の一例に過ぎず、この例に限定されるものではない。
【００４６】
以上のように、本実施の形態ではユーザにとって親和性の高いデジタルテレビ１０１の電子番組表を利用してネットワークカメラ１０２を制御することができ、ネットワークカメラ１０２の使い易さを向上させることができる。
【００４７】
（第２の実施の形態）
以下、本発明の第２の実施の形態について説明する。本実施の形態に係るネットワークカメラシステムの構成を図８に示す。なお、本図において、図１と同等の部分は同じ番号を使用し、説明を割愛する。
【００４８】
図８において、８０１は玄関に設置されたネットワークカメラであり、駐車場に設置されたネットワークカメラ１０２とは別のものである。図８のようにＥｔｈｅｒｎｅｔケーブル１０４を介してデジタルテレビ１０１に接続されたネットワークカメラ１０２及びネットワークカメラ８０１は、デジタルテレビ１０１に搭載された制御アプリケーションによって個別、あるいは同時に制御される。また、ネットワークカメラ１０２及びネットワークカメラ８０１で撮像した映像データがデジタルテレビ１０１に送信され、デジタルテレビ１０１では受信した映像データを表示あるいは記録する。
【００４９】
本実施の形態に係るデジタルテレビ１０１おける番組表の生成処理は、第１の実施の形態において図４のフローチャートで説明した処理フローと同じである。ただし、本実施の形態の場合は、ネットワークカメラが２つ検出されるため、それぞれのスケジュール情報がスケジュール情報データ格納部２１０によって管理される。
【００５０】
本実施の形態において生成される番組表を図９を用いて説明する。なお、図９において、図３、図６と同等の部分は同じ番号を使用し、説明を割愛する。
【００５１】
図９に示す合成番組表９００において、９０１は外部機器の種別表示欄であり、ネットワークカメラ１０２の種別表示欄５０１とネットワークカメラ８０１の表示欄９０１とが並べて表示される。９０２はネットワークカメラ８０１のスケジュール情報表示欄であり、番組表示欄３０５の番組と時間（時系列）を揃えてスケジュール情報が表示される、即ち時間軸欄３０１に表示される時刻に対応するスケジュール情報が表示される。
【００５２】
以上のように本実施の形態では、複数の外部機器（ネットワークカメラ１０２、８０１）がデジタルテレビ１０１に接続する場合でも、一画面上で両方のスケジュール情報を表示することが可能である。よって、ユーザは画面上でネットワークカメラからの映像を簡単に確認することが可能であり、ネットワークカメラを容易に制御することができる。
【００５３】
なお、本実施の形態では、ネットワークカメラ１０２を駐車場に、ネットワークカメラ８０１を玄関に設置したが、このような設置箇所に限られるものではないことは言うまでもない。また、本実施の形態では、家庭内における防犯用途を想定しており、ネットワークの構成としてはＬＡＮ等で構成することが考えられるが、ネットワークをインターネットとして、より遠隔地から映像を確認し、ネットワークカメラを制御するようにしても良い。また、ネットワークカメラは、その用途に応じてセキュリティカメラあるいはＷＥＢカメラと称される場合があるが、ネットワークカメラをセキュリティカメラあるいはＷＥＢカメラとして用いた場合においても、本発明を有効に適用することができる。
【００５４】
なお、本発明を実現するために、上述した実施形態の機能を実現するソフトウェアのプログラムコード（コンピュータプログラム）を記録した記憶媒体を用いても良い。この場合には記憶媒体をシステム或いは装置に供給し、そのシステム或いは装置のコンピュータ（又はＣＰＵやＭＰＵ）が記憶媒体に格納されたプログラムコードを読み出し実行することによって本発明の目的が達成される。
【００５５】
この場合、記憶媒体から読み出されたプログラムコード自体が上述した実施形態の機能を実現することになり、プログラムコード自体及びそのプログラムコードを記憶した記憶媒体は本発明を構成することになる。
【００５６】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００５７】
また、そのプログラムコードの指示に基づき、コンピュータ上で稼動しているＯＳ（基本システム或いはオペレーティングシステム）等が実際の処理の一部又は全部を行う場合も含まれることは言うまでもない。
【００５８】
さらに、記憶媒体から読み出されたプログラムコードが、コンピュータに挿入された機能拡張ボードやコンピュータに接続された機能拡張ユニットに備わるメモリに書き込まれてもよい。この場合には、書き込まれたプログラムコードの指示に基づき、その機能拡張ボードや機能拡張ユニットに備わるＣＰＵ等が実際の処理の一部又は全部を行ってもよい。
【図面の簡単な説明】
【００５９】
【図１】本発明の第１の実施の形態に係るネットワークカメラシステムの構成を示す図である。
【図２】本発明の実施の形態に係るデジタルテレビの内部構成を示す図である。
【図３】本発明の実施の形態に係るデジタルテレビにおいて表示される番組表の一例を示す図である。
【図４】本発明の第１の実施の形態に係るデジタルテレビの番組表の生成処理を説明するためのフローチャートである。
【図５】本発明の第１の実施の形態に係るデジタルテレビにおいて表示される合成番組表の一例を示す図である。
【図６】本発明の第１の実施の形態に係るデジタルテレビにおいて表示される合成番組表の一例を示す図である。
【図７】本発明の実施の形態に係るデジタルテレビおいて表示されるスケジュール予約画面の一例を示す図である。
【図８】本発明の第２の実施の形態に係るネットワークカメラシステムの構成を示す図である。
【図９】本発明の第２の実施の形態に係るデジタルテレビにおいて表示される合成番組表の一例を示す図である。
【符号の説明】
【００６０】
１０１  デジタルテレビ
１０２、８０１  ネットワークカメラ
１０３  ハブ（ルータ）
１０４  Ｅｔｈｅｒｎｅｔケーブル
２０１  放送受信部
２０２  再生部
２０３  音声出力部
２０４  表示部
２０５  映像出力部
２０６  通信部
２０７  接続機器制御部
２０８  合成番組表制御部
２０９  操作部
２１０  スケジュール情報データ格納部
２１１  番組表情報データ格納部
【図１】
2009038744.tif 000003
【図２】
2009038744.tif 000004
【図３】
2009038744.tif 000005
【図４】
2009038744.tif 000006
【図５】
2009038744.tif 000007
【図６】
2009038744.tif 000008
【図７】
2009038744.tif 000009
【図８】
2009038744.tif 000010
【図９】
2009038744.tif 000011